(57)【要約】【課題】エアゾール容器において、不使用時にスパウトの吐出口の保護と誤操作を防止し、使用時に押し易くすること。【解決手段】エアゾール容器１０であって、保護カバー２０を被覆位置と使用位置との間で回転可能にスパウト１４に支持し、保護カバー２０は被覆位置で容器本体１１のスパウト１４を囲む肩部に衝合し、使用位置で該肩部との間にスパウト１４の押動ストロークを許す間隔を介し、使用位置に設定された保護カバー２０はスパウト１４の周囲で該スパウト１４の押動操作面１４Ｄと面一をなす押動拡張面２６を備えるもの。【選択図】　図１
2004099068.tif 000002
【特許請求の範囲】
【請求項１】
容器本体の天面部にステムを有し、ステムにスパウトを接続し、スパウトの吐出口を覆うカバーを備えたエアゾール容器であって、
カバーをスパウトの吐出口を覆う被覆位置と該吐出口を覆わない使用位置との間で該スパウトの周囲で回転可能に該スパウトに支持し、
カバーは被覆位置で容器本体のスパウトを囲む肩部に衝合し、使用位置で該肩部との間に該スパウトの押動ストロークを許す間隔を介し、
使用位置に設定されたカバーはスパウトの周囲で該スパウトの押動操作面と面一をなす押動拡張面を備えるエアゾール容器。
【請求項２】
前記カバーが被覆位置に設定された状態でスパウトの押動方向に沿う該カバーの全高の中央部をスパウトに対する支持点とし、容器本体の肩部をスパウトの周囲に沿う方向で段差状にし、スパウトの吐出口の側では高段位を形成し、スパウトの吐出口と反対側では低段位を形成する請求項１に記載のエアゾール容器。
【請求項３】
前記カバーが被覆位置に設定された状態でスパウトの押動方向に沿う該カバーの全高の中央部より上位部をスパウトに対する支持点とし、容器本体の肩部をスパウトの周囲に沿う方向で同一レベルにする請求項１に記載のエアゾール容器。
【発明の詳細な説明】
【０００１】
【発明の属する技術分野】
本発明はエアゾール容器に関する。
【０００２】
【従来の技術】
エアゾール容器において、店頭陳列時、保管時等の使用時に誤ってスパウトを押動できないようにするため、スパウトをコ字状に囲む邪魔板を容器本体に一体の肩カバーに立設したものがある（特許文献１）。
【０００３】
【特許文献１】
特開２００２−９６８８４号公報（要約、図１、図２）
【０００４】
【発明が解決しようとする課題】
▲１▼邪魔板のコ字状開口より小さなものが、不使用時にスパウトを押動することを回避できない。
【０００５】
▲２▼邪魔板はスパウトの吐出口を覆うものでなく、不使用時にスパウトを保護するものでない。
【０００６】
▲３▼スパウトの使用時に用いられる押動操作面は、邪魔板のコ字状開口の開口面より小面積になり、押しにくい。
【０００７】
本発明の課題は、エアゾール容器において、不使用時にスパウトの吐出口の保護と誤操作を防止し、使用時に押し易くすることにある。
【０００８】
【課題を解決するための手段】
請求項１の発明は、容器本体の天面部にステムを有し、ステムにスパウトを接続し、スパウトの吐出口を覆うカバーを備えたエアゾール容器であって、カバーをスパウトの吐出口を覆う被覆位置と該吐出口を覆わない使用位置との間で該スパウトの周囲で回転可能に該スパウトに支持し、カバーは被覆位置で容器本体のスパウトを囲む肩部に衝合し、使用位置で該肩部との間に該スパウトの押動ストロークを許す間隔を介し、使用位置に設定されたカバーはスパウトの周囲で該スパウトの押動操作面と面一をなす押動拡張面を備えるものである。
【０００９】
【発明の実施の形態】
エアゾール容器１０は、図１、図２に示す如く、容器本体１１に薬剤、洗浄剤等の内容物を収容し、容器本体１１の天面部を構成するように容器本体１１に封着されたマウンテンカップ１２（天面部）によりその内容物を噴射剤とともに封入している。エアゾール容器１０は、マウンテンカップ１２に取着したバルブ内蔵部にばねにより突出方向に付勢された状態でステム１３を起立させ、このステム１３にスパウト１４を挿着して接続し、スパウト１４を囲む肩カバー１５をマウンテンカップ１２の外縁カール部１２Ａに被着している。
【００１０】
スパウト１４は、有天円筒状のボタン１４Ａと、ボタン１４Ａの中心部から半径方向に延びてボタン１４Ａの正面側壁を貫通するノズル１４Ｂとを有し、ノズル１４Ｂの吐出口１４Ｃを外方に向け、ボタン１４Ａの天面を押動操作面１４Ｄとしている。
【００１１】
エアゾール容器１０では、使用者の手指の押動操作力でスパウト１４のボタン１４Ａの押動操作面１４Ｄを押し、ステム１３をバルブ内蔵部のばねに抗して押し込むと、ステム１３の孔が導通し、容器本体１１の内容物がディップチューブ（不図示）経由でこのステム１３の孔を介してスパウト１４のノズル１４Ｂの吐出口１４Ｃから噴射状に吐出する。スパウト１４はボタン１４Ａの外周を肩カバー１５の内周にガイドされる。
【００１２】
しかるに、エアゾール容器１０は、スパウト１４の吐出口１４Ｃを覆う保護カバー２０を備える。保護カバー２０は、スパウト１４を囲む半円弧状をなし、ボタン１４Ａの両側面側壁に支持ピン２５を介して枢着され、ボタン１４Ａの正面側の被覆位置（図１（Ａ）、図２（Ａ）、図３）と背面側の使用位置（図１（Ｂ）、図２（Ｂ）、図４）との間で反転（回転）可能とされている。保護カバー２０は、被覆位置でスパウト１４の吐出口１４Ｃを外部空間に対して覆い、使用位置で吐出口１４Ｃを覆わずに吐出口１４Ｃから外方への吐出を許す。
【００１３】
保護カバー２０は、半円弧状外壁２１と、被覆位置で外壁２１の上下に交差する第１面部２２及び第２面部２３と、半円弧の両端部で外壁２１と第１面部２２と第３面部２３に交差する閉塞端面部２４と、第１面部２２と第２面部２３の間に設けられて支持ピン２５に支承される軸支部（不図示）とを備える。第２面部２３は、保護カバー２０の反転時にノズル１４Ｂを通過するための切欠部２３Ａを備える。
【００１４】
保護カバー２０は、被覆位置で、図１（Ａ）、図２（Ａ）、図３に示す如く、容器本体１１の肩カバー１５の後述する高段部１５Ａにその第２面部２３を衝合する。この被覆位置では、保護カバー２０は肩カバー１５の高段部１５Ａに衝合して下動できず、保護カバー２０と支持ピン２５を介して結合関係にあるスパウト１４は押動できない。保護カバー２０は、被覆位置で、使用位置の側への自由な回転を制止し得るなんらかの係止機構部をスパウト１４との間に備えることが望ましい。
【００１５】
保護カバー２０は、使用位置で、図１（Ｂ）、図２（Ｂ）、図４に示す如く、容器本体１１の肩カバー１５の後述する低段部１５Ｂとの間にスパウト１４の押動ストロークを許す間隔Ｌを介する。尚、保護カバー２０は、この使用位置で、保護カバー２０の第１面部２２の内周をボタン１４Ａの外周に衝合し、支持ピン２５による支承と相まってスパウト１４に対するそれ以上の回転を阻止される。また、使用位置に設定された保護カバー２０は、スパウト１４のボタン１４Ａの周囲で該ボタン１４Ａの押動操作面１４Ｄと面一をなす押動拡張面２６をその第２面部２３によって形成する。
【００１６】
ここで、保護カバー２０は被覆位置に設定された状態でスパウト１４の押動方向に沿う保護カバー２０の全高Ｈの中央部をボタン１４Ａに対する支持点（支持ピン２５の位置）とする。同時に、肩カバー１５をスパウト１４の周囲に沿う方向で段差状にし、吐出口１４Ｃの側（被覆位置の側）では後段位の高段部１５Ａとし、吐出口１４Ｃと反対側（使用位置の側）では低段位の低段部１５Ｂとする。
【００１７】
即ち、この図３及び図４の形態の場合、支持ピン２５が保護カバー２０の全高の中央部に形成されており、肩部としての肩カバー１５は、高段部１５Ａ（被覆位置）と低段部１５Ｂ（使用位置）を有した段部を必要としている。尚、肩カバー１５は高段部１５Ａと低段部１５Ｂを一体成形する他、別部品化するものでも良い。
【００１８】
本実施形態によれば以下の作用がある。
（請求項１に対応する作用）
▲１▼スパウト１４の不使用時に保護カバー２０を被覆位置に位置付けることにより、保護カバー２０によってスパウト１４の吐出口１４Ｃを覆い、スパウト１４の吐出口１４Ｃを保護する。
【００１９】
▲２▼スパウト１４の不使用時に、被覆位置に位置付けられた保護カバー２０は容器本体１１の肩カバー１５（高段部１５Ａ）に衝合し、下動できない。従って、保護カバー２０と結合関係にあるスパウト１４を押動できなくなり、誤操作を防止できる。
【００２０】
▲３▼スパウト１４の使用時に、使用位置に設定された保護カバー２０はスパウト１４の周囲で該押動操作面１４Ｄと面一をなす押動拡張面２６を形成する。従って、使用者はスパウト１４の押動操作面１４Ｄとその周囲の保護カバー２０の押動拡張面２６とを押動操作し得るものになり、押し易くなる。
【００２１】
▲４▼スパウト１４の使用時に、保護カバー２０を回転（反転）させるだけで、該保護カバー２０を上述▲３▼の使用位置に設定できる。保護カバー２０を外す必要がなく保護カバー２０を紛失する虞もない。
【００２２】
（請求項２に対応する作用）
▲５▼容器本体１１に段差状の肩カバー１５を設けることにより、保護カバー２０を被覆位置では肩カバー１５の高段部１５Ａに衝合し、使用位置では肩カバー１５の低段部１５Ｂとの間に押動ストロークを許すことができる。
【００２３】
図５のエアゾール容器３０が図１〜図４のエアゾール容器１０と実質的に異なる点は、保護カバー２０が被覆位置（図５（Ａ））に設定された状態で、スパウト１４の押動方向に沿う保護カバー２０の面高Ｈの中央部３１より上位部をボタン１４Ａに対する支持点（支持ピン２５の位置）とし、同時に、容器本体１１の肩部として肩カバー１５を用いず、マウンテンカップ１２の外縁カール部１２Ａを用いたことにある。マウンテンカップ１２の外縁カール部１２Ａが形成する容器本体１１の肩部は、スパウト１４の周囲に沿う方向で段差状をなすことなく、同一レベルをなす。
【００２４】
エアゾール容器３０によれば、保護カバー２０のスパウト１４に対する支持点を該保護カバー２０の全高（Ｈ）の中央部より一方にΔＨだけ偏らせることにより、容器本体１１の肩部を周方向に同一レベルにしながら、保護カバー２０を被覆位置では肩部に衝合し、使用位置では肩部との間に押動ストロークを許すことができる。
【００２５】
即ち、この図５の形態の場合、支持ピン２５が保護カバー２４の全高（Ｈ）の中央部からΔＨだけ偏り形成されている。肩部としての外縁カール部１２Ａに段差は必須でないが、支持ピン２５を支えるスパウト１４が沈み込む隙間（押動ストローク）のために、マウンテンカップ１２に凹部が形成され、スパウト１４がその凹部内部へ移動可能な形状であること、を必要としている。
本発明において、スパウトはノズルを備えることを必須としない。
【００２６】
【発明の効果】
本発明によれば、エアゾール容器において、不使用時にスパウトの吐出口の保護と誤操作を防止し、使用時に押し易くすることができる。
【図面の簡単な説明】
【図１】図１は第１実施形態のエアゾール容器を示す模式図である。
【図２】図２は図１の要部断面図である。
【図３】図３は被覆位置に設定された保護カバーを示す模式図である。
【図４】図４は使用位置に設定された保護カバーを示す模式図である。
【図５】図５は第２実施形態のエアゾール容器を示す模式図である。
【符号の説明】
１０、３０　エアゾール容器
１１　容器本体
１２　マウンテンカップ（天面部）
１３　ステム
１４　スパウト
１４Ｃ　吐出口
１４Ｄ　押動操作面
１５　肩カバー（肩部）
１５Ａ　高段部
１５Ｂ　低段部
２０　保護カバー
２５　支持ピン（支持点）
２６　押動操作面
【図１】
2004099068.tif 000003
【図２】
2004099068.tif 000004
【図３】
2004099068.tif 000005
【図４】
2004099068.tif 000006
【図５】
2004099068.tif 000007